(57)【要約】【課題】いずれの部位にも装着することができデザインの展開性が高く、かつ複数のツボを同時に刺激しながらも、軽量で長期使用に耐え、他の物体との接触の可能性が低い装身具、特に耳用の装身具を提供する。【解決手段】装身具が、少なくとも一方の面に粘着層を有するシート層と、前記シート層上部に装飾部材とを有し、前記シート層下部には、ツボ刺激部材が複数貼付され、複数の前記ツボ刺激部材が、２点以上のツボを同時に刺激可能な位置に配置されていることからなる。【選択図】図３
2019187509.tif 000002
【特許請求の範囲】
【請求項１】
少なくとも一方の面に粘着層を有するシート層と、前記シート層上部に装飾部材とを有し、前記シート層下部には、ツボ刺激部材が複数貼付され、複数の前記ツボ刺激部材が、２点以上のツボを同時に刺激可能な位置に配置されていることを特徴とする装飾具。
【請求項２】
耳用の装身具であって、前記シート部材が、耳介の一部形状に沿い、耳の２点以上のツボを覆う形状を備えていることを特徴とする請求項１に記載の装飾具
【請求項３】
前記耳介の一部形状が、三角窩、対耳輪脚、舟状窩、耳甲介艇、対耳輪、耳甲介腔、対耳珠間切痕、耳珠、耳輪脚形状であることを特徴とする請求項２に記載の装飾具。
【請求項４】
前記シート平面視において、前記ツボ刺激部材の配置位置には、前記装飾部材が配置されていないことを特徴とする請求項１から３のいずれか１項に記載の装飾具。
【請求項５】
神門を刺激可能な位置にツボ刺激部材が配置されていることを特徴とする請求項１から４のいずれか１項に記載の装飾具。
【請求項６】
複数のツボ刺激部材と、装飾部材と当該ツボ刺激部材を貼付可能なシート部材とからなる耳用装身具の使用方法であって、少なくとも一方の面に粘着層を有するシートを用意する工程、シート上部に装飾部材を設ける工程、シートの粘着層にツボ刺激部材を複数貼付する工程からなる方法。
【請求項７】
複数のツボ刺激部材と、装飾部材と当該ツボ刺激部材を貼付可能なシート部材とからなる耳用装身具の使用方法であって、少なくとも一方の面に粘着層を有するシートを用意する工程、シートの粘着層にツボ刺激部材を複数貼付する工程シート上部に装飾部材を設ける工程からなる方法。
【請求項８】
請求項７又は８の方法に使用される、ツボ刺激部材と、装飾部材と、及び装飾部材とツボ刺激部材を貼付可能な、耳介の一部形状に沿うシート部材からなる装飾具。
【発明の詳細な説明】
【技術分野】
【０００１】
本発明は、装飾具に関する。特に、身体の美容・健康・装飾向上効果を備える耳用の装飾具に関する。
【背景技術】
【０００２】
女性は多種多様な装飾具を使用するが、そのうち耳用の装飾具の典型的な例として、イヤリングなどが挙げられる。イヤリングは、耳たぶの一部にホールを開けて装着されるピアスと、ホールを開けずにクリップやねじなどで耳たぶを挟み固定するものに大別されるが、ピアスと区別するため後者が狭義のイヤリングとして呼称される場合も多い。
【０００３】
耳用の装飾具は、その多くが耳たぶに挟むか、耳に下げて使用するため、重さ、使用空間など、その構造や形状が制限される。さらに、装飾具が大きいと他の物体との接触を起こしやすいことから、行動の妨げになり、取り扱いに注意が必要となる。さらに、素材として金属が使用されることが多いが、使用者において金属アレルギーがあると種々の問題が生じうる。
【０００４】
一方、東洋医学において、耳には多くのツボがあることから、上記の耳用の装飾具においてツボを刺激する構成を備えたものが開示されている（例えば、特許文献１参照）。しかしながら、これらはいずれも、イヤリングなど装飾具としての制限を備えている。
【先行技術文献】
【特許文献】
【０００５】
【特許文献１】特許第６２４５６５７号公報
【発明の概要】
【発明が解決しようとする課題】
【０００６】
そこで、本願発明は、従来と異なる観点から美容・健康・装飾を同時に向上することが可能な耳用装飾具を提供することを目的とする。
【課題を解決するための手段】
【０００７】
上記課題を解決するため、本発明は、装飾具であって、少なくとも一方の面に粘着層を有するシート層と、シート層上部に装飾部材とを有し、シート層下部には、ツボ刺激部材が複数貼付され、当該複数のツボ刺激部材が、２点以上のツボを同時に刺激可能な位置に配置されていることからなる。
【０００８】
また、耳用の装身具であって、シート部材が、耳介の一部形状に沿い、耳の２点以上のツボを覆う形状を備えていることが好適である。
また、耳介の一部形状が、三角窩、対耳輪脚、舟状窩(耳舟)、耳甲介艇、対耳輪、耳甲介腔、対耳珠間切痕、耳珠、耳輪脚形状であることが好適である。
また、シート平面視において、ツボ刺激部材の配置位置には、装飾部材が配置されていないことが好適である。
また、神門を刺激可能な位置にツボ刺激部材が配置されていることが好適である。
【０００９】
また、本発明は、複数のツボ刺激部材と、装飾部材と当該ツボ刺激部材を貼付可能なシート部材とからなる耳用装身具の使用方法であって、少なくとも一方の面に粘着層を有するシートを用意する工程、シート上部に装飾部材を設ける工程、シートの粘着層にツボ刺激部材を複数貼付する工程からなる。
【００１０】
また、本発明は、複数のツボ刺激部材と、装飾部材と当該ツボ刺激部材を貼付可能なシート部材とからなる耳用装身具の使用方法であって、少なくとも一方の面に粘着層を有するシートを用意する工程、シートの粘着層にツボ刺激部材を複数貼付する工程、シート上部に装飾部材を設ける工程からなる。
【００１１】
本発明は、いずれの部位にも装着することができデザインの展開性が高く、かつ複数のツボを同時に刺激しながらも、軽量で長期使用に耐え、他の物体との接触の可能性が低い装身具、特に耳用の装身具を提供するものである。上述の通り、公知の耳ツボを刺激することが可能な耳用装身具は、イヤリングやカフスなど、設置の制限と、重さや空間上の制限が存在する。しかしながら、耳には無数のツボが全体に存在する。例えば耳たぶには眼のツボがあるが、その上位置には頬など表情に関係するツボが存在する。これらは同時に刺激することで美容上の相乗効果がある。そして、耳たぶ以外にも、三角窩、対耳輪脚、舟状窩(耳舟)、耳甲介艇、対耳輪、耳甲介腔、対耳珠間切痕、耳珠、耳輪脚形状などにおいても多くの重要なツボが存在する。特に神門は、美容やダイエット効果が高いとされるが、一般的に装飾物が設けられることのない三角窩と呼ばれる位置に存在する。また、近隣の舟状窩には風渓ツボが存在し、これらを同時に刺激すると美容及びダイエットに相乗的な効果があるとされる。これら位置は公知の磁性粒を設けた丸シートなどで個別に刺激している場合はあるが、高い装飾性を備えるものは知られていない。
【００１２】
一方、本発明では、少なくとも一方の面に粘着層を有するシート層を備える。粘着層は、シートの肌への装着と、ツボ刺激部材の保持の役割を備える。粘着層には、ツボ刺激部材が複数貼付され、当該複数のツボ刺激部材が、耳介内の２点以上のツボを同時に刺激可能な位置に配置されている。この構成により、所望の効果に応じていくつかのツボを同時に刺激し、針灸などで行われている相乗効果を奏することを可能にしている。ツボ刺激部材は、磁性粒など公知の部材を使用することが可能であるが、本発明は他の全構成を非金属・非磁性材料で構成することを可能にしているため、セラミック粒など、非金属かつ非磁性材料を使用することが好適である。
【００１３】
また、シート層上部に装飾部材を有している。この装飾部材は、身体を装飾するものであれば特に限定されないが、例えば宝石・模造宝石・模造石・硝子・樹脂製飾りなどである。シートと装飾部材を樹脂製等として一体的に形成しても良いが、好ましくはシートがその両面に粘着層を有し、装飾部材をシートに貼り付けて構成する。この構成は、個々の肌の色や状況に合わせて、一定の面積を面的に自由な装飾アレンジを可能にするもので、デザイン的な展開性が広がる。また、シートは全面で肌に貼り付けられることから、単位面積あたりの重さによる負荷が公知の装飾具よりも少なく済み、かつ公知の装飾具よりも多くの装飾を行うことが可能である。さらに、取り扱いの制限が少ないことから、運動にも適している。また、シートが耳輪内の一部形状に沿う形状を備えることで、耳のいずれの位置であっても装飾かつツボ刺激を行うことができる。例えば、三角窩、対耳輪脚、舟状窩(耳舟)、耳甲介艇、対耳輪、耳甲介腔、対耳珠間切痕、耳珠、耳輪脚形状の一部又はこれらの組み合わせに沿った形状にすることができ、通常装飾されない箇所を装飾することもできる。これら構成は、これまで装飾性が低いものしかなかった耳ツボ刺激具において、複数のツボ刺激と高い装飾性という新たな効果を生じさせる。したがって、本発明の構成によれば、神門位置を刺激可能な装飾具を提供しつつ、他の美容効果のあるツボと合わせて刺激することで、装飾と美容効果を両立させることが可能である。また、耳の背面側など、通常装飾具が用いられない位置や、耳以外の部位を装飾及び押圧することが可能である。
【００１４】
好ましくは、シート平面視において、ツボ刺激部材の配置位置上には、装飾部材が配置されない。これは、ツボ刺激部材の位置を避けて装飾部材をデザインすることを意味している。この構成は、肌への密着、ツボの押圧、及び装飾部材の維持に有利であり、長期使用にも有効である。
【００１５】
また、本発明は、その提供方法として、複数のツボ刺激部材と、装飾部材と当該ツボ刺激部材を貼付可能なシート部材とからなる耳用装身具の提供方法であって、少なくとも一方の面に粘着層を有するシートを用意するステップ、シート上部に装飾部材を設けるステップ、シートの粘着層にツボ刺激部材を複数貼付するステップとして構成される。本発明では、個々の耳形状、体質、および肌の色等に合わせた柔軟なツボ刺激及び装飾が可能である。典型的には、シートが両面テープで構成され、使用前はシート両面には剥離紙が貼付され、使用者の耳形状や健康状態に沿ってシート形状を確定し、表面に所望の装飾を施し、裏面にツボ刺激部材を貼付して、使用者へ貼付して提供することができる。なお、先に裏面にツボ刺激部材を貼付しても良い。そのため、本発明においてツボ刺激部材はシート、装飾部材、ツボ刺激部材のセットとして提供され得る。
【図面の簡単な説明】
【００１６】
【図１】本発明の装飾具の表面側を示す図である。
【図２】本発明の装飾具の裏面側を示す図である。
【図３】本発明の装飾具の使用例を示す図である。
【発明を実施するための形態】
【００１７】
本発明の実施の一例を、図面を参照して説明する。図１は、本発明の装飾具の表面側（平面側）を示す図であり、図２は装飾具の裏面側を示す図である。
【００１８】
装飾具１は、両面に粘着層を有する半透明上のシート２と、その表面に、全面的に装飾部材３が設けられている。シート２は、使用者の耳の耳たぶ位置から耳輪方向に沿った外枠形状を備えている。シート２は、両面テープを使用して構成することが出来、鋏などで使用者の耳特性に沿って作成することができる。装飾部材３は、シート全面に複数設けられ、デザイン的な統一性を持って構成されている。このように、様々な素材・色・大きさのものを使用者の個性に応じて組み合わせ・選択することができるため、公知の装飾部材よりも多くの装飾部材を使用可能でデザイン展開性が高い。一方で、シート２全面で貼付しているため、耳への重さの負担が少なく、動きの負担が少ない。なお、図面の体裁上、装飾部材全てには符号を示していない。
【００１９】
シート２裏面には、非磁性のセラミック粒４がツボ刺激部材として３カ所シート２に貼付されている。各セラミック粒４は、眼・頬・鎖骨に相当する位置に配置されており、小顔効果・美容効果が高いとされる耳ツボの相乗効果を奏することができる。また、セラミック粒４の配置位置には、装飾部材３が平面視で配置されていない（図２参照）。この構成は、肌への密着を高め、均一的なツボの押圧力を維持し、及び装飾部材の長期維持に有効である。
【００２０】
図３は、本発明の装飾具１の使用例を示す図である。上記の装飾具１が、使用者の耳の耳たぶ位置から耳輪方向に沿った形状で配置されているほか、もうひとつの装飾具１’が、舟状窩から三角窩に沿った形状を備え、耳介の上部に配置されている。装飾具１は、使用者の眼ツボ５、頬ツボ６、鎖骨ツボ７を押圧している。さらに、装飾具１’が、神門ツボ８及び風渓ツボ９位置を押圧している。神門は自律神経を整え、風渓は炎症抑制効果を有しており、美肌の相乗効果があるとされる。装飾具１’が押圧するツボは、装飾具１が押圧するツボとの相乗効果が高く、特に女性の美容・健康・ダイエット効果が高いとされる。このように、本発明によれば、複数の装飾具を組み合わせ、通常は装飾具が用いられない離れた位置にあるツボを同時に刺激しつつ、デザイン的に高度な統一性を持たせることができる。
【符号の説明】
【００２１】
１、１’  装飾具
２        シート
３        装飾部材
４        セラミック粒
５        眼ツボ
６        頬ツボ
７        鎖骨ツボ
８        神門ツボ
９        風渓ツボ
【図１】
2019187509.tif 000003
【図２】
2019187509.tif 000004
【図３】
2019187509.tif 000005